(57)【要約】【課題】点滴筒が揺らされても、点滴が終了すると点滴筒の下流側開口を確実に閉塞状態に保持できるようにする。【解決手段】筒本体４ａ内の下部に、筒本体４ａの下流側開口４ｂ２の周縁に固着され中央にチューブ３とほぼ同径もしくは少し小なる径の透孔７が透設された基部８と、この基部８の透孔７部分に一体に形成され下流側開口４ｂ２に接続されたチューブ３内に挿入された通流断続部９とを備え、下流側開口４ｂ２を開閉する開閉部材６を設ける。これにより、筒本体４ａ内の輸液がなくなると、下流側開口４ｂ２に接続されたチューブ３内部の圧力が人体の静脈の圧力によって点滴筒４の筒本体４ａ内部よりも高くなって通流断続部９が扁平に容易に変形し、下流側開口４ｂ２を確実に閉塞し、血液の逆流が防止される。【選択図】図３
2016002393.tif 000002
【特許請求の範囲】
【請求項１】
筒本体の両端に位置する上流側開口および下流側開口がチューブに接続され、前記上流側開口に接続された前記チューブを介して輸液パックからの輸液を前記筒本体内に貯留し、前記筒本体内に貯留した前記輸液を前記下流側開口に接続された前記チューブを介して被点滴者の血管内に滴下する点滴筒において、
前記筒本体の前記下流側開口の周縁に固着され中央に前記チューブとほぼ同径の透孔が透設された基部と、
前記基部に一体に形成され前記下流側開口に接続された前記チューブ内に挿入された通流断続部とを有する開閉部材を備え、
前記通流断続部は、可撓性を有する筒状部材を扁平に変形可能に形成され、前記筒本体内の前記輸液を滴下する際には、筒状に開いて内部を前記輸液の滴下を許容し、前記筒本体内の前記輸液がなくなれば、前記筒本体内部と前記下流側開口に接続された前記チューブ内部との圧力差により扁平に変形して前記下流側開口を閉塞することを特徴とする点滴筒。
【請求項２】
前記通流断続部は、所定形状の可撓性フィルム材を貼り合わせて筒状に形成されていることを特徴とする請求項１に記載の点滴筒。
【請求項３】
前記通流断続部は、可撓性を有する筒状部材に一対の折れ線が形成され、前記両折れ線の位置で扁平に変形することを特徴とする請求項１に記載の点滴筒。
【請求項４】
前記基部および前記通流断続部が、０．０１〜０．０３ｍｍの厚さの樹脂フィルム材により形成されていることを特徴とする請求項１ないし４のいずれかに記載の点滴筒。
【請求項５】
前記筒本体の前記下流側開口の付近が漏斗形状を有し、前記基部が前記筒本体の前記下流側開口の付近の形状に沿って固着可能な漏斗状に形成されていることを特徴とする請求項１ないし４のいずれかに記載の点滴筒。
【請求項６】
請求項１ないし５のいずれかに記載の点滴筒を備えていることを特徴とする点滴器具。
【発明の詳細な説明】
【技術分野】
【０００１】
この発明は、筒本体の両端に位置する上流側開口および下流側開口がチューブに接続され、上流側開口に接続されたチューブを介して輸液パックからの輸液を筒本体内に貯留し、筒本体内に貯留した輸液を下流側開口に接続されたチューブを介して被点滴者の血管内に滴下する点滴筒およびこれを備えた点滴器具に関するものである。
【背景技術】
【０００２】
一般に、人体に薬液や電解質液、栄養剤などの液体である輸液を、人体の静脈に直接供給する点滴が行われる。このとき、輸液パックに塩化ビニル等からなる可撓性を有するチューブを介して点滴筒を接続し、人体の静脈に穿刺された注射針にチューブを介して点滴筒に接続し、点滴筒と注射針との間のチューブに取り付けられたクランプによりチューブの開閉度合いを調節し、点滴を行っている。
【０００３】
図７は従来の点滴筒５０を示し、筒本体５１の両端に位置する上流側開口５１ａおよび下流側開口５１ｂがそれぞれチューブ５２，５３に接続され、上流側開口５１ａに接続されたチューブ５２を介して輸液パックからの輸液を筒本体５４内に貯留し、筒本体５４内に貯留した輸液を下流側開口５１ｂに接続されたチューブ５３を介して被点滴者の血管内に滴下するようになっている。
【０００４】
ところで、輸液パックの輸液がなくなって点滴筒５０の筒本体５４内に貯留される輸液もなくなると、下流側のチューブ５３に空気が入るおそれがあり、空気が入った状態では続けて輸液を行えないことから、下流側のチューブ５３内の空気を抜く作業が必要になり、このような面倒な作業を不要にするために、従来、点滴筒５０の筒本体５４内に輸液よりも比重が小さくチューブ５２，５３の径よりも大きい浮き部５６を入れ、輸液よりも比重の大きく点滴筒５０の下流側開口５１ｂよりも大なる最大径を有する円錐形状の閉塞部５７を浮き部５６に連結して閉塞部５７の下部および閉塞部５７の下部にさらに連結された錘５８をチューブ５３内に挿入し、点滴が進むと、点滴筒５０内に貯留された輸液の液面の低下に伴って閉塞部５７が錘５８の作用により下流側のチューブ５３内に引き込まれ、閉塞部５７がガイドの役目を果たして浮き部５６も点滴筒５０内を下方に移動し、閉塞部５７がやがて点滴筒５０の下流側開口５１ｂおよびこれに接続されたチューブ５３を閉塞する栓の役目を果たすようにした構造が提案されている（特許文献１参照）。
【先行技術文献】
【特許文献】
【０００５】
【特許文献１】特開２００９−２５４４０７号公報（段落００１４〜００１６および図１）
【発明の概要】
【発明が解決しようとする課題】
【０００６】
しかしながら、特許文献１に記載の点滴筒の場合、閉塞部５７の円錐形状に起因した断面径の連続的な変化を利用しているため、点滴筒５０内で輸液面が静かに低下して浮き部５６の位置が下がるに連れて点滴筒５０の下流側開口５１ｂおよびチューブ５３を閉塞部５７により閉塞できるものの、閉塞部５７が閉塞した状態では点滴筒５０内に輸液が残っているため、この状態で被点滴者が点滴スタンドを使って点滴しながら移動すると、点滴筒５０内の輸液面が激しく変動して浮き部５６も輸液上で揺れるため、浮き部５６の動きに連動して点滴筒５０内に残留した輸液内で閉塞部５７も激しく動くことになり、点滴筒５０の下流側開口５１ｂおよびチューブ５３を確実に閉塞できず、点滴筒５０よりも下に空気が入らないようにするという栓の役目を閉塞部が果たせなくなるという問題がある。
【０００７】
また、点滴筒５０内に貯留された輸液が完全になくなって点滴が完了した状態になると、点滴筒５０内部の圧力と静脈の圧力との較差により、圧力の低い点滴筒５０内に血液の逆流現象が生じるおそれがあり、上記した特許文献１の構造では、閉塞部５７は上からの栓の役目を果たすに過ぎないため、仮に点滴筒５０内部の圧力と静脈の圧力との較差が閉塞部５７を浮き上がらせるほど大きければ、閉塞部５７は血液の逆流を止める役目を果たすことができなくなり、さらに上記したように被点滴者が点滴しながら移動するような場合にも、閉塞部５７が栓の役目を果たさないことから血液の逆流現象を防止できず、血液の逆流が生じたまま放置しておくと下流側のチューブ５３内での血液の凝固が生じ、次の点滴が滴下しなくなり、被点滴者に新たな注射針を穿刺しなければならず被点滴者に大きな負担を強いることになる。
【０００８】
実際に、病院の入院患者または通院患者に対する点滴の場合、看護師が点滴準備をして点滴を開始した後、点滴が終了する予定時間を過ぎても看護師が点滴解除に来ないケースが多々あり、上記した血液の逆流現象が点滴中に生じており、患者に対する注射針の穿刺の負担は軽減されないという実情がある。
【０００９】
本発明は上記した課題に鑑みなされたものであり、点滴筒が揺らされても、点滴が終了すると点滴筒の下流側開口を確実に閉塞状態に保持できるようにすることを目的とする。
【課題を解決するための手段】
【００１０】
上記した目的を達成するために、本発明における点滴筒は、筒本体の両端に位置する上流側開口および下流側開口がチューブに接続され、前記上流側開口に接続された前記チューブを介して輸液パックからの輸液を前記筒本体内に貯留し、前記筒本体内に貯留した前記輸液を前記下流側開口に接続された前記チューブを介して被点滴者の血管内に滴下する点滴筒において、前記筒本体の前記下流側開口の周縁に固着され中央に前記チューブとほぼ同径の透孔が透設された基部と、前記基部に一体に形成され前記下流側開口に接続された前記チューブ内に挿入された通流断続部とを有する開閉部材を備え、前記通流断続部は、可撓性を有する筒状部材を扁平に変形可能に形成され、前記筒本体内の前記輸液を滴下する際には、筒状に開いて内部を前記輸液の滴下を許容し、前記筒本体内の前記輸液がなくなれば、前記筒本体内部と前記下流側開口に接続された前記チューブ内部との圧力差により扁平に変形して前記下流側開口を閉塞することを特徴としている（請求項１）。
【００１１】
また、前記通流断続部は、所定形状の可撓性フィルム材を貼り合わせて筒状に形成されているとよく（請求項２）、可撓性を有する筒状部材に一対の折れ線が形成され、前記両折れ線の位置で扁平に変形するようにしてもよい（請求項３）。
【００１２】
また、前記基部および前記通流断続部が、０．０１〜０．０３ｍｍの厚さの樹脂フィルム材により形成されているのが望ましい（請求項４）。
【００１３】
また、前記筒本体の前記下流側開口の付近が漏斗形状を有し、前記基部が前記筒本体の前記下流側開口の付近の形状に沿って固着可能な漏斗状に形成されているとよい（請求項５）。
【００１４】
また、本発明における点滴器具は、請求項１ないし５のいずれかに記載の点滴筒を備えていることを特徴としている（請求項６）。
【発明の効果】
【００１５】
本発明の点滴筒によれば、点滴が完了して点滴筒の筒本体内の輸液がなくなると、下流側開口に接続されたチューブ内部の圧力が人体の静脈の圧力によって点滴筒の筒本体内部よりも高くなって通流断続部が扁平に変形し易いため、基部に一体に形成された通流断続部は、筒本体内の輸液を滴下する際には、筒状に開いて内部を輸液の滴下を許容し、筒本体内の輸液がなくなれば、筒本体内部と下流側開口に接続されたチューブ内部との圧力差により、通流断続部が扁平に変形して下流側開口を閉塞する。そのため、点滴が完了して点滴筒の筒本体内の輸液がなくなると、下流側開口に接続されたチューブ内部の圧力が点滴筒の筒本体内部よりも高くなって通流断続部が扁平に変形し、これにより点滴筒が揺らされても下流側開口を閉塞することができ、下流側開口に接続されたチューブへの空気の流入を防止できるのは勿論のこと、点滴筒の筒本体内への血液の逆流を確実に防止することができ、従来のように被点滴者に対して新たな注射針の穿刺という負担を強いることがない。
【００１６】
また、通流断続部を、可撓性フィルム材を貼り合わせて筒状に形成し、或いは、可撓性を有する筒状部材に一対の折れ線を形成して両折れ線の位置で扁平に変形するようにすれば、筒本体内の輸液がなくなったときに、点滴筒の筒本体内部の圧力と下流側開口に接続されたチューブ内部の圧力との差によって通流断続部の変形を簡単に実現することができる。
【００１７】
また、筒本体の下流側開口の付近が漏斗形状を有し、基部が筒本体の下流側開口の付近の形状に沿って固着可能な漏斗状に形成されていると、基部を筒本体の下流側開口の付近に密着状態で固着することができ、通流断続部の変形時における密閉性を向上することができる。このとき、基部および通流断続部を、０．０１〜０．０３ｍｍの厚さの樹脂フィルム材、例えばポリエチレンのほか塩化ビニルなどにより形成すると、密閉性および固着性が良好な基部、および、変形が容易な通流断続部を得ることができる。
【００１８】
また、本発明の点滴器具によれば、点滴筒が揺らされても、点滴が終了すると点滴筒の下流側開口を確実に閉塞状態に保持できるようにする点滴器具を提供することができる。
【図面の簡単な説明】
【００１９】
【図１】本発明に係る点滴筒を備えた点滴器具の一実施形態の概略図である。
【図２】図１の点滴筒の正面図である。
【図３】図１の点滴筒の斜視図である。
【図４】図２における閉塞部材の作成工程の説明図である。
【図５】図２における閉塞部材のある状態の斜視図である。
【図６】図２における閉塞部材の異なる状態の斜視図である。
【図７】従来例の概略図である。
【発明を実施するための形態】
【００２０】
本発明の一実施形態について図１ないし図６を参照して説明する。
【００２１】
本発明における点滴器具（輸液セット）１は、例えば図１に示すように、着脱自在の透明キャップ１ａが装着され薬液や電解質液、栄養剤などの液体である輸液の入った輸液パックに穿刺される瓶針１ｂが一端に接続された塩化ビニル製のチューブ２と、上流側開口にチューブ２の他端が接続され下流側開口に塩化ビニル製のチューブ３の一端が接続されたポリエチレン製の点滴筒４と、チューブ３の途中に取り付けられてチューブ３の開閉度合いを調節するクランプ５とを備えている。なお、チューブ３の他端は被点滴者の静脈に穿刺された留置針などの注射針が接続される。
【００２２】
次に、点滴筒４の詳細構造について説明すると、図２に示すように、試験管状の形状を有する例えばポリエチレン（ＰＥ）製の筒本体４ａの上流側開口４ｂ１に、チューブ２が貫設された蓋体４ｃが装着され、上流側開口４ｂ１が閉塞されると同時にチューブ２が筒本体４ａ内に挿入され、筒本体４ａの断面円弧状に湾曲した下端部の中央に透設された下流側開口４ｂ２にチューブ３が接続されている。
【００２３】
そして、特に図３に示されるように、筒本体４ａ内の下部には、下流側開口４ｂ２を開閉する開閉部材６が設けられており、この開閉部材６は、筒本体４ａの下流側開口４ｂ２の周縁に固着され中央にチューブ３とほぼ同径もしくは少し小なる径の透孔７（図５参照）が透設された基部８と、この基部８の透孔７部分に一体に形成され下流側開口４ｂ２に接続されたチューブ３内に挿入された通流断続部９とを備えている。
【００２４】
さらに、開閉部材６の基部８および通流断続部９は、厚さ０．０１〜０．０３ｍｍのポリエチレンフィルムを、図４（ａ），（ｂ）それぞれに示すように、漏斗を側面から視た外形を有する素体１０ａ，１０ｂを２枚準備し、これら２枚の素体１０ａ，１０ｂの上辺と下辺を除く左右の辺すべてを互いに接着剤の塗布や溶着により貼り合わせ、図５に示すように、上辺および下辺に開口をそれぞれ有する漏斗状に加工することにより、基部８および通流断続部９とその境界部に透孔７を有する開閉部材６が形成される。なお、図５中のＨは両素体１０ａ，１０ｂの貼り合わせ部分である。
【００２５】
このように加工して形成された開閉部材６の通流断続部９が筒本体４ａの内側から下流側開口４ｂ２を挿通された状態で、基部８の外面が筒本体４ａの内面の下流側開口４ｂ２の周縁に溶着等により密着して固着され、通流断続部９が下流側透孔４ｂ２から外部に露出し、チューブ３が筒本体４ａに接続される際には、チューブ３内に通流断続部９が挿入された状態になる。
【００２６】
そして、点滴筒４を輸液パックに接続するとともに、チューブ３の他端の注射針が被点滴者の静脈に穿刺されると、筒本体４ａ内に輸液が貯留され、筒本体４ａ内に貯留された輸液を滴下する際には、筒本体４ａ内に貯留された輸液の圧力が静脈の圧力を上回って開閉部材６の通流断続部９がチューブ３内においてほぼ円筒状に開いて輸液の通流が許容される状態になり、通流断続部９内部を輸液がクランプ５により調節された滴下速度で滴下する。
【００２７】
一方、筒本体４ａ内の輸液がなくなって点滴が完了すると、下流側開口４ｂ２に接続されたチューブ３内部の圧力が人体の静脈の圧力によって点滴筒４の筒本体４ａ内部よりも高くなり、図６に示すように、２枚のフィルムの貼り合わせ構造を有する通流断続部９の得意に下半部が扁平に変形してくっついた状態になり、下流側開口４ｂ２が閉塞される。
【００２８】
このように、開閉部材６の基部８に一体に形成された通流断続部９は、筒本体４ａ内の輸液を滴下する際には筒状に開き、その内部を輸液が滴下することを許容し、筒本体４ａ内の輸液がなくなれば、筒本体４ａ内部と下流側開口４ｂ２に接続されたチューブ３内部との圧力差により、通流断続部９が扁平に変形して下流側開口４ｂ２を閉塞するが、このとき点滴が完了して点滴筒４の筒本体４ａ内の輸液がなくなると、下流側開口４ｂ２に接続されたチューブ３内部の圧力が人体の静脈の圧力によって点滴筒４の筒本体４ａ内部よりも高くなって通流断続部９が扁平に容易に変形し、これにより点滴筒４に振動が与えられても下流側開口４ｂ２を確実に閉塞することができる。
【００２９】
したがって、上記した実施形態によれば、本体４ａ内の輸液がなくなると通流断続部９が扁平に変形して下流側開口４ｂ２を閉塞されるため、下流側開口４ｂ２に接続されたチューブ３への空気の流入を防止できるのは勿論のこと、点滴筒４の筒本体４ａ内への血液の逆流を確実に防止することができ、従来のように被点滴者に対して新たな注射針の穿刺という負担を強いることがなく、点滴筒４が揺らされて振動が与えられても、点滴が終了すると点滴筒の下流側開口４ｂ２を確実に閉塞状態に保持できる点滴器具（輸液セット）１を提供することができる。
【００３０】
また、通流断続部９を、可撓性フィルム材を貼り合わせて筒状に形成したため、筒本体４ａ内の輸液がなくなったときに、点滴筒４の筒本体４ａ内部の圧力と下流側開口４ｂ２に接続されたチューブ３内部の圧力との差によって通流断続部９の変形を簡単に実現することができる。
【００３１】
また、筒本体４ａの下流側開口４ｂ２の付近が漏斗形状を有し、基部８が筒本体４ａの下流側開口４ｂ２の付近の形状に沿って固着可能な漏斗状に形成されているため、基部８を筒本体４ａの下流側開口４ｂ２の付近に密着状態で固着することができ、通流断続部９の変形時における密閉性を向上することができる。
【００３２】
また、基部８および通流断続部９を、０．０１〜０．０３ｍｍの厚さの２枚のポリエチレンフィルムの貼り合わせにより形成したため、密閉性および固着性が良好な基部８、および、変形が容易な通流断続部９を得ることができる。
【００３３】
なお、本発明は上記した実施形態に限定されるものではなく、その趣旨を逸脱しない限りにおいて上述したもの以外に種々の変更を行うことが可能である。
【００３４】
例えば、上記した実施形態では、基部８および通流断続部９を２枚のポリエチレンフィルムを貼り合わせて筒状に形成した例について説明したが、少なくとも通流断続部９は、可撓性を有する筒状部材に一対の折れ線を形成して両折れ線の位置で扁平に変形するようにしてもよく、基部８および通流断続部９を成形加工した後、２つに折り重ねるようにして一対の折れ線を基部８および通流断続部９の両方に形成し、通流断続部９が両折れ線の位置で扁平に変形するようにしてもよい。さらに、点滴筒４の筒本体４ａの素材も、上記したポリエチレン（ＰＥ）に限定されるものではない。
【００３５】
また、上記した実施形態では、開閉部材６の基部８および通流断続部９をポリエチレンにより形成された例を説明したが、これら基部８および通流断続部９を塩化ビニルにより形成してもよく、その他の可撓性フィルム材により形成してもよい。要するに、少なくとも通流断続部９が扁平に変形し得る素材を用いればよい。
【００３６】
本発明は、上記した輸液セットとしての点滴器具１だけでなく、輸血のための輸血セットとしての点滴器具にも適用することができる。
【符号の説明】
【００３７】
１    …点滴器具（輸液セット）
２    …（上流側）チューブ
３    …（下流側）チューブ
４    …点滴筒
４ａ  …筒本体
４ｂ１…上流側開口
４ｂ２…下流側開口
６    …開閉部材
７    …透孔
８    …基部
９    …通流断続部
【図１】
2016002393.tif 000003
【図２】
2016002393.tif 000004
【図３】
2016002393.tif 000005
【図４】
2016002393.tif 000006
【図５】
2016002393.tif 000007
【図６】
2016002393.tif 000008
【図７】
2016002393.tif 000009